Podtech/llm-jp-corpus-v4-ja_patent huggingface dataset:
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
楽器の本体内に部分的に位置決めされるまたは前記楽器の本体内に位置決めされるピックアップであって、前記楽器によって生成された振動信号を受信し、前記振動信号を、前記振動信号を表す電気信号に変換するように構成されるピックアップと、
前記楽器の本体内に部分的に位置決めされるまたは前記楽器の本体内に位置決めされ、前記ピックアップと連結されるエンコーダであって、前記楽器からの音楽制御データの送信前に、前記ピックアップによって受信された前記電気信号を音楽制御メッセージデータに符号化するエンコーダと、
前記楽器の本体内に部分的に位置決めされるまたは前記楽器の本体内に位置決めされ、前記エンコーダに連結される第１の無線トランシーバであって、前記音楽制御メッセージデータを、前記楽器の本体内に部分的に位置決めされないまたは前記楽器の本体内に位置決めされない第２の無線トランシーバに無線送信するように構成されている第１の無線トランシーバと、
を備え、
前記音楽制御メッセージデータに基づいてメディア信号を作り出すことが可能である、
楽器。
【請求項２】
前記音楽制御メッセージデータが、Ｍｕｓｉｃ  Ｉｎｓｔｒｕｍｅｎｔ  Ｄｉｇｉｔａｌ  Ｉｎｔｅｒｆａｃｅ（ＭＩＤＩ）形式に従う、請求項１に記載の楽器。
【請求項３】
プロセッサが、前記電気信号をＭＩＤＩデータに符号化するためのＭＩＤＩパラメータを編集するためである、請求項１に記載の楽器。
【請求項４】
前記楽器によって作り出された音を検出し、前記音を、前記エンコーダによって符号化された電気信号に変換するピックアップデバイスを備える、請求項１に記載の楽器。
【請求項５】
前記メディア信号が、音声信号、映像信号、または照明効果のための信号を含む、請求項１に記載の楽器。
【請求項６】
前記第２の無線トランシーバが、ＭＩＤＩパラメータを前記第１の無線トランシーバに送信するためである、請求項１に記載の楽器。
【請求項７】
前記エンコーダが、前記電気信号を前記音楽制御メッセージデータに符号化するためのパラメータを記憶するメモリを含む、請求項１に記載の楽器。
【請求項８】
前記エンコーダが、ＭＩＤＩパラメータを選択する制御装置を含む、請求項１に記載の楽器。
【請求項９】
プロセッサが、ＭＩＤＩパラメータを制御または編集するためのシンセサイザーとフットスイッチとを備えるストンプボックスの中に包含される、請求項１に記載の楽器。
【請求項１０】
振動信号を楽器によって生成することと、
前記楽器の本体内に部分的に位置決めされるまたは前記楽器の本体内に位置決めされるピックアップによって、前記振動信号を、前記振動信号を表す電気信号に変換することと、
前記楽器の本体内に部分的に位置決めされるまたは前記楽器の本体内に位置決めされ、前記ピックアップと連結されるエンコーダによって、前記楽器からの音楽制御データの送信前に、前記電気信号を音楽制御メッセージデータに符号化することと、
前記楽器の本体内に部分的に位置決めされるまたは前記楽器の本体内に位置決めされ、前記エンコーダに連結される第１の無線トランシーバによって、前記音楽制御メッセージデータを前記エンコーダから、前記楽器の本体内に部分的に位置決めされないまたは前記楽器の本体内に位置決めされない第２の無線トランシーバに無線送信することと、
前記音楽制御メッセージデータを前記エンコーダから受信機に無線送信することと、を備え、
前記送信された音楽制御メッセージデータに基づいてメディア信号を作り出す、
方法。
【請求項１１】
前記音楽制御メッセージデータがＭＩＤＩデータ形式に従う、請求項１０に記載の方法。
【請求項１２】
プロセッサによって、前記電気信号をＭＩＤＩデータに符号化するためのＭＩＤＩパラメータを編集することを備える、請求項１０に記載の方法。
【請求項１３】
電気信号をギターによって生成することであって、前記ギターの各弦が別々の電気信号を生成することを備える、請求項１０に記載の方法。
【請求項１４】
前記ピックアップによって、前記楽器によって作り出された音を検出し、前記音を電気信号に変換することを備える、請求項１０に記載の方法。
【請求項１５】
前記エンコーダに連結されたメモリ内に、前記電気信号をＭＩＤＩデータに符号化するための、１つまたは複数のセットのＭＩＤＩパラメータを記憶することを備える、請求項１０に記載の方法。
【請求項１６】
前記楽器がエレキギターである、請求項１０に記載の方法。
【請求項１７】
ピックアップに連結されたＭＩＤＩエンコーダであって、前記ＭＩＤＩエンコーダ及び前記ピックアップが、電気楽器の本体内に部分的に位置決めされるまたは前記電気楽器の本体内に位置決めされ、前記ピックアップが、前記電気楽器によって生成される振動信号を電気信号に変換するように構成され、前記ＭＩＤＩエンコーダが、前記電気楽器からのＭＩＤＩデータの送信前に、前記電気信号を前記ＭＩＤＩデータに符号化するように構成される、ＭＩＤＩエンコーダと、
前記電気楽器の本体内に部分的に位置決めされるまたは前記電気楽器の本体内に位置決めされ、前記ＭＩＤＩエンコーダと連結された第１の無線トランシーバであって、前記ＭＩＤＩエンコーダから前記ＭＩＤＩデータを受信し、前記電気楽器の本体内に部分的に位置決めされないまたは前記電気楽器の本体内に位置決めされない第２の無線トランシーバに前記ＭＩＤＩデータを無線送信する、第１の無線トランシーバと、
を備え、
前記第２の無線トランシーバは、ＭＩＤＩパラメータを前記第１の無線トランシーバに送信するように構成される、
システム。
【請求項１８】
前記第２の無線トランシーバが、プロセッサとメモリとを備え、受信された前記ＭＩＤＩデータに関連するＭＩＤＩパラメータの可視化したものを表示するように構成されたコンピューティングシステムに連結されている、請求項１７に記載のシステム。
【請求項１９】
前記コンピューティングシステムが前記ＭＩＤＩデータをメディア信号に合成するように構成されている、請求項１８に記載のシステム。
【請求項２０】
前記コンピューティングシステムが前記ＭＩＤＩパラメータの編集を可能にするように構成されている、請求項１８に記載のシステム。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
生体試料中の目標物質の存在を磁気共鳴によって検出するためのインビトロ方法であって、
（ａ）生体試料と複数の磁性ナノ粒子とを含む混合物であって、生体試料中に目標物質が存在する場合に目標物質と結合できる結合剤を磁性ナノ粒子が含んでいる混合物を用意するステップと、
（ｂ）試料中の目標物質と結合した磁性ナノ粒子に対応するＴ2緩和時間（Ｔ2bound）を決定するステップと
を含んでいて、Ｔ2boundが、目標物質と結合していない磁性ナノ粒子に対応するＴ2緩和時間（Ｔ2free）とは異なり、目標物質と結合していない磁性ナノ粒子から目標物質と結合した磁性ナノ粒子を物理的に分離せずにＴ2boundを決定する、方法。
【請求項２】
生体試料中の目標物質の存在を磁気共鳴によって検出するための請求項１記載のインビトロ方法であって、
（ａ）生体試料を含む試験試料を用意するステップと、
（ｂ）目標物質と結合できる結合剤を含む複数の磁性ナノ粒子を用意するステップと、
（ｃ）試験試料と複数の磁性ナノ粒子とを接触させて、磁性ナノ粒子と試験試料とを含有する混合物を得るステップと、
（ｄ）試料中の目標物質と結合した磁性ナノ粒子に対応するＴ2緩和時間（Ｔ2bound）を決定するステップと
を含んでいて、Ｔ2boundが、目標物質と結合していない磁性ナノ粒子に対応するＴ2緩和時間（Ｔ2free）とは異なり、目標物質と結合していない磁性ナノ粒子から目標物質と結合した磁性ナノ粒子を物理的に分離せずにＴ2boundを決定する、方法。
【請求項３】
ＮＭＲデータをシグナル処理してＴ2bound及びＴ2freeの別々の値を得ることによってＴ2boundをＴ2freeと識別することを特徴とし、例えば、シグナル処理が、二重指数関数フィットを混合物から得られたＮＭＲデータに適用して、Ｔ2bound及びＴ2freeの別々の値を得るステップを含む、請求項１又は請求項２記載の方法。
【請求項４】
二重指数関数フィットが式（１）
ｙ＝Ａ１＊ｅｘｐ−（ｘ／τ１）＋Ａ２＊ｅｘｐ−（ｘ／τ２）＋Ｏ（式１）
式中：
Ａ１、Ａ２＝ゼロ時における成分１及び２の振幅
τ１、τ２＝成分１及び２のＴ２減衰定数
Ｏ＝オフセット
を使用して適用される、請求項３記載の方法。
【請求項５】
混合物が、マルチエコースピンエコーパルスシーケンスに付される、請求項１乃至請求項４のいずれか１項記載の方法。
【請求項６】
混合物中の目標物質の量を定量するステップをさらに含む、請求項１乃至請求項５のいずれか１項記載の方法。
【請求項７】
Ｔ2boundの値が混合物中の目標物質の量に依存し、（ａ）混合物中の目標物質の量を、Ｔ2boundの値と、様々な濃度の目標物質で測定されたＴ2bound値の標準プロットと比較することによって決定するか、或いは（ｂ）Ｔ2boundの値を、公知の量の目標物質を含む参照試料から得られた１以上の標準値と比較する、請求項６記載の方法。
【請求項８】
生体試料中の目標物質の存在を検出するための方法であって、
（ａ）生体試料と複数の磁性ナノ粒子とを含む混合物であって、生体試料中に目標物質が存在する場合に目標物質と結合できる結合剤を磁性ナノ粒子が含んでいる混合物からＮＭＲデータを得るするステップと、
（ｂ）ＮＭＲデータから、試料中の目標物質と結合した磁性ナノ粒子に対応するＴ2緩和値（Ｔ2bound）を決定するステップと
を含んでいて、Ｔ2boundが、目標物質と結合していない磁性ナノ粒子に対応するＴ2緩和値（Ｔ2free）とは異なり、ＮＭＲデータを処理してＴ2bound及びＴ2freeの別々の値を得ることによってＴ2boundをＴ2freeと識別する、方法。
【請求項９】
生体試料中の目標物質の存在を磁気共鳴によって検出するためのインビトロ方法であって、
（ａ）生体試料と複数の磁性ナノ粒子とを含む混合物であって、生体試料中に目標物質が存在する場合に目標物質と結合できる結合剤を磁性ナノ粒子が含んでいる混合物を用意するステップと、
（ｂ）試料中の目標物質と結合した磁性ナノ粒子に対応するＴ2緩和値（Ｔ2bound）を決定するステップと
を含んでいて、Ｔ2boundが、目標物質と結合していない磁性ナノ粒子に対応するＴ2緩和値（Ｔ2free）とは異なり、ＮＭＲデータを処理してＴ2bound及びＴ2freeの別々の値を得ることによってＴ2boundをＴ2freeと識別する、方法。
【請求項１０】
生体試料中の目標物質の存在を検出するための方法であって、
（ａ）生体試料と複数の磁性ナノ粒子とを含む混合物であって、生体試料中に目標物質が存在する場合に目標物質と結合できる結合剤を磁性ナノ粒子が含んでいる混合物からＮＭＲデータを得るするステップと、
（ｂ）ＮＭＲデータを処理してＴ2bound及びＴ2freeに対応する異なるＴ2値が存在するかどうかを決定するステップと
を含んでいて、Ｔ2boundが、存在していれば目標物質と結合する磁性ナノ粒子に対応するＴ2緩和時間であり、Ｔ2freeが、目標物質と結合していない磁性ナノ粒子に対応するＴ2緩和時間である、方法。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
筐体と、少なくとも部分的に前記筐体上またはその中に取り付けられるように構成されたガス発生器と、を含む送気装置であって、前記筐体は、ガスを患者に送達するためのガス出口と、ガスを貯蔵し、かつガスを前記ガス出口へと送るように構成されたガス貯蔵チャンバと、を含み、前記ガス発生器は、ガス発生カートリッジを受けるようになされた前記筐体上のカートリッジマウントを含み、前記ガス発生カートリッジはガス発生材料を収容し、前記カートリッジ、前記カートリッジマウント、およびガスチャンバは、使用中、前記装置が動作モードにあるときに、前記カートリッジが前記カートリッジマウントに装填されると前記カートリッジが前記ガス貯蔵チャンバと流体連通するように構成され、ガスは前記カートリッジ内の前記ガス発生材料から発生されて、前記ガス貯蔵チャンバへと送られる、装置。
【請求項２】
前記カートリッジを含む、請求項１に記載の装置。
【請求項３】
前記カートリッジは取り外し可能である、請求項１または２に記載の装置。
【請求項４】
前記カートリッジを前記カートリッジマウントに選択的に固定することにより、偶発的に外れるのを防止し、および／または前記カートリッジ内部の圧力上昇によって強制的に外れるのを防止するためにロッキング手段が設けられる、請求項３に記載の装置。
【請求項５】
前記動作モードは、前記カートリッジを前記カートリッジマウントに装填すると自動的に開始する、請求項１〜４のいずれか一項に記載の装置。
【請求項６】
前記動作モードは選択的に開始される、請求項１〜４のいずれか一項に記載の装置。
【請求項７】
前記装置の動作を制御するためにコントローラが設けられる、請求項１〜６のいずれか一項に記載の装置。
【請求項８】
前記コントローラは、前記動作モードの開始と終了とを制御するように動作する、請求項７に記載の装置。
【請求項９】
前記コントローラは、前記筐体上に設けられたユーザインタフェースを含む、請求項７または８に記載の装置。
【請求項１０】
閉鎖手段が前記カートリッジに設けられ、かつ前記ガス発生材料を前記カートリッジ内に封入するように構成され、前記装置は、前記装置が前記動作モードにあるときに、前記閉鎖手段を少なくとも部分的に開放するように構成される、請求項１〜９のいずれか一項に記載の装置。
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
移植可能な瘻治療デバイス用の遠位アンカーであって、
該遠位アンカーは、
縫合糸と；
最遠位部材と；
縫合糸を最遠位部材に取り付ける縫合糸取付構造と；
最近位環状折り畳み式部材と、該最遠位部材と該最近位折り畳み式部材との間に位置する少なくとも１つの追加環状折り畳み式部材と、を含む複数の環状折り畳み式部材と；
を備え、
該複数の折り畳み式部材は、縫合糸に沿って最遠位部材の方へスライドするように構成され、該複数の折り畳み式部材の少なくとも１つは、最遠位部材または最遠位部材に隣接する他の折り畳み式部材と密封を形成し、
該最近位折り畳み式部材は、瘻の遠位開口部において体腔の表面と連結し、該遠位開口部において瘻を閉鎖するように構成されている、遠位アンカー。
【請求項２】
前記環状折り畳み式部材の各々は少なくとも１つのロック機能を備え、当該ロック機能は、隣接する１つの環状折り畳み式部材にある対応するロック機能と共にロックするように構成される、請求項１に記載の遠位アンカー。
【請求項３】
前記複数の環状折り畳み式部材の中央開口部を貫通するように延伸する柱を更に備える、請求項１に記載の遠位アンカー。
【請求項４】
前記最遠位部材は、球体を含む、請求項１に記載の遠位アンカー。
【請求項５】
前記最遠位部材と前記環状折り畳み式部材の最遠位との間に配置された追加の球状部材を更に備える、請求項４に記載の遠位アンカー。
【請求項６】
前記最遠位部材は折り畳み式である、請求項１に記載の遠位アンカー。
【請求項７】
前記折り畳み式部材の少なくとも一部は生体吸収性である、請求項１に記載の遠位アンカー。
【請求項８】
前記最遠位部材は、前記縫合糸取付構造によって前記縫合糸に予め取り付けられている、請求項１に記載の遠位アンカー。
【請求項９】
前記折り畳み式部材は、前記縫合糸に予め取り付けられていない、請求項８に記載の遠位アンカー。
【請求項１０】
移植可能な瘻治療デバイス用の遠位アンカーであって、
該遠位アンカーは、
縫合糸と；
最遠位折り畳み式部材と；
縫合糸を最遠位折り畳み式部材に取り付ける縫合糸取付構造と；
最近位折り畳み式部材と、該最遠位折り畳み式部材と該最近位折り畳み式部材との間に位置する少なくとも１つの追加折り畳み式部材と、を含む複数の追加折り畳み式部材と；
を備え、
該複数の追加折り畳み式部材は、縫合糸に沿って最遠位折り畳み式部材の方へスライドするように構成され、
該最遠位折り畳み式部材および該複数の追加折り畳み式部材の各々は非円形で、組み立て後の遠位アンカーの全外周より小さい外周を有し、
組み立て後の遠位アンカーは、略円形であり、
該最近位折り畳み式部材および該折り畳み式部材の少なくとも他の１つは、一緒に接合したときに、瘻の遠位開口部において体腔の表面と連結し、該遠位開口部において瘻を閉鎖するように構成されている、遠位アンカー。
【請求項１１】
前記折り畳み式部材の少なくとも一部は生体吸収性である、請求項１０に記載の遠位アンカー。
【請求項１２】
少なくとも前記最近位折り畳み式部材の組織に接触する表面上に、接着剤を更に備える、請求項１０に記載の遠位アンカー。
【請求項１３】
前記最近位折り畳み式部材の組織に接触する表面上に配置された複数の組織牽引機構を更に備える、請求項１０に記載の遠位アンカー。
【請求項１４】
組織牽引機構は、マイクロニードルを備える、請求項１０に記載の遠位アンカー。
【請求項１５】
前記最遠位折り畳み式部材は、前記縫合糸取付構造によって前記縫合糸に予め取り付けられている、請求項１０に記載の遠位アンカー。
【請求項１６】
前記追加折り畳み式部材は、前記縫合糸に予め取り付けられていない、請求項１５に記載の遠位アンカー。
【請求項１７】
移植可能な瘻治療デバイス用の遠位アンカーシステムであって、
該遠位アンカーシステムは、
複数の縫合糸と、近位側に対向する組織に対し複数の組織牽引突起を備える組織接触折り畳み式部材と、縫合糸を該折り畳み式部材に取り付ける縫合糸取付構造と、を備える遠位アンカー；及び、
瘻を貫通して遠位アンカーを送達する送達カテーテル；
を備え、
該折り畳み式部材を該送達カテーテルの遠位端から送達した後、カテーテルを所定の位置に残しつつ縫合糸を引っ張ることで縫合糸を張って、該縫合糸により、該折り畳み式部材の外周を該縫合糸取付構造を介し該部材の取り付け点において上向きに引っ張り、
該縫合糸の張りを開放すると、該折り畳み式部材の外周が瘻を取り囲む組織の方へ移動し、これにより、該組織接触折り畳み式部材の突起が組織を係合し、瘻の直径を小さくする、遠位アンカーシステム。
【請求項１８】
前記組織接触折り畳み式部材と共に遠位アンカーを構成する追加折り畳み式部材を更に備える、請求項１７に記載のシステム。
【請求項１９】
前記折り畳み式部材の少なくとも一部は前記縫合糸に沿ってスライド可能である、請求項１８に記載のシステム。
【請求項２０】
前記折り畳み式部材の少なくとも一部は生体吸収性である、請求項１８に記載のシステム。
【請求項２１】
可撓性の遠位アンカーをカテーテルの遠位端および瘻管の開口部に通して前進させること；
カテーテルを遠位アンカーに対して相対的に固定させながら、遠位アンカーに該遠位アンカーの外縁部又はその近傍にて接続された複数の縫合糸を引っ張ること、ここで、前記複数の縫合糸は遠位アンカーの中央部およびカテーテルを通って延伸しており、前記複数の縫合糸を引っ張ると、縫合糸に張力がかかり遠位アンカーの外縁部が瘻管の開口部を取り囲む組織の上部で立ち上がる；並びに、
縫合糸にかけられた張力の少なくとも一部を開放し、前記アンカーの外縁部を前記開口部を取り囲む組織の方へ移動させることにより、遠位アンカーの組織に対向する面にある少なくとも２つの湾曲した突起を組織に係合させ、瘻管の開口部の直径を小さくすること；
を含む瘻管を密封する方法。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
式（ＩＶ）
【化１５４】
2016503786.tif 000001
［式中、
Ａは
【化１５５】
2016503786.tif 000002
から選択され；
Ｙ１は−（ＣＨ２）ｍ−であり；
Ｘは−Ｃ（＝Ｏ）−ＮＨ−であり；
Ｙ２は−（ＣＨ２）ｎ−であり；
ｍは２、３および４から選択され、ｎは０および１から選択され；
Ｙ３は−Ｏ−（ＣＨ２）−であり、
Ｒ１ａ、Ｒ１ｂ、Ｒ１ｃ、Ｒ１ｄおよびＲ１ｅは、
（ａ）Ｒ１ｂおよびＲ１ｄがクロロであり、Ｒ１ａ、Ｒ１ｃおよびＲ１ｅがＨである
；または
（ｂ）Ｒ１ｂがＣＮであり；Ｒ１ｄがＣＦ３もしくはＯＣＦ３であり；Ｒ１ａ、Ｒ１ｃおよびＲ１ｅがＨである
によって定義される］
の化合物、またはその薬学的に許容される塩。
【請求項２】
ｍは３または４であり、ｎは０であり；
Ｒ１ｂがＣＮであり；Ｒ１ｄがＣＦ３であり；Ｒ１ａ、Ｒ１ｃおよびＲ１ｅがＨである、
請求項１に記載の化合物、またはその薬学的に許容される塩。
【請求項３】
３，５−ジクロロベンジル４−（４−（１Ｈ−１，２，３−トリアゾール−４−イル）ブタンアミド）ピペリジン−１−カルボキシレート；
３，５−ジクロロベンジル４−（３−（１Ｈ−１，２，３−トリアゾール−４−イル）プロパンアミド）ピペリジン−１−カルボキシレート；
３，５−ジクロロベンジル４−（５−（１Ｈ−１，２，３−トリアゾール−４−イル）ペンタンアミド）ピペリジン−１−カルボキシレート；
３，５−ジクロロベンジル４−（（４−（１Ｈ−１，２，３−トリアゾール−５−イル）ブタンアミド）メチル）ピペリジン−１−カルボキシレート；
３，５−ジクロロベンジル４−（（３−（１Ｈ−１，２，３−トリアゾール−５−イル）プロパンアミド）メチル）ピペリジン−１−カルボキシレート；
３，５−ジクロロベンジル４−（２−（（２−（１Ｈ−１，２，３−トリアゾール−４−イル）エチル）アミノ）−２−オキソエチル）ピペリジン−１−カルボキシレート；
３−シアノ−５−（トリフルオロメチル）ベンジル４−（４−（１Ｈ−１，２，３−トリアゾール−４−イル）ブタンアミド）ピペリジン−１−カルボキシレート；および、
３−シアノ−５−（トリフルオロメトキシ）ベンジル４−（４−（１Ｈ−１，２，３−トリアゾール−４−イル）ブタンアミド）ピペリジン−１−カルボキシレート、
から選択される請求項１に記載の化合物、またはその薬学的に許容される塩。
【請求項４】
請求項１から３のいずれか一項に記載の化合物、またはその薬学的に許容される塩、および薬学的に許容される担体を含む、医薬組成物。
【請求項５】
治療有効量の請求項１から３のいずれか一項に記載の化合物、またはその薬学的に許容される塩、および１種または複数の治療的に活性な共薬剤を含む医薬的組合せ。
【請求項６】
医療に使用するための、請求項１から３のいずれか一項に記載の化合物、またはその薬学的に許容される塩。
【請求項７】
線維症、掻痒、肝硬変、がん、糖尿病、腎疾患、疼痛、喘息およびＣＯＰＤから選択される疾患または状態の治療に使用するための、請求項６に記載の化合物、またはその薬学的に許容される塩。
【請求項８】
線維症、掻痒、肝硬変、がん、糖尿病、腎疾患、疼痛、喘息およびＣＯＰＤから選択される疾患または状態の治療のための医薬の製造における、請求項１から３のいずれか一項に記載の化合物、またはその薬学的に許容される塩の使用。
【請求項９】
線維症、掻痒、肝硬変、がん、糖尿病、腎疾患、疼痛、喘息およびＣＯＰＤから選択される疾患または状態の治療のための、請求項１から３のいずれか一項に記載の化合物、またはその薬学的に許容される塩の使用。
【請求項１０】
以下の式
【化１５８】
2016503786.tif 000003
を有する、３−シアノ−５−（トリフルオロメチル）ベンジル４−（４−（１Ｈ−１，２，３−トリアゾール−４−イル）ブタンアミド）ピペリジン−１−カルボキシレート、である化合物、またはその薬学的に許容される塩。
【請求項１１】
以下の式
【化１５９】
2016503786.tif 000004

を有する、３−シアノ−５−（トリフルオロメトキシ）ベンジル４−（４−（１Ｈ−１，２，３−トリアゾール−４−イル）ブタンアミド）ピペリジン−１−カルボキシレート、である化合物、またはその薬学的に許容される塩。
【請求項１２】
以下の式
【化１６０】
2016503786.tif 000005

を有する、３，５−ジクロロベンジル４−（４−（１Ｈ−１，２，３−トリアゾール−４−イル）ブタンアミド）ピペリジン−１−カルボキシレート、である化合物、またはその薬学的に許容される塩。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ロストワックス鋳造法を使用して、少なくとも１つの細長い形状の空洞を備えた、柱状または単結晶状構造のニッケル合金製金属部品を製造する方法にして、  前記空洞に対応するセラミック芯部（１０）を備えた部品の蝋模型（２０）を作り出すステップであって、セラミック芯部（１０）は長手方向の一方端部に第１保持スパン（１４）と反対端部に第２保持スパン（１６）とを備える、ステップと、  模型（２０）のまわりにシェル型（３０）を作り出すステップであって、シェル型（３０）は基部を備え、芯部の第１スパン（１４）はシェル型（３０）の基部と同じ側にあり、シェル型（３０）の脱蝋作業によって蝋を除去する、ステップと、  シェル型（３０）を炉（１００）に配置するステップであって、基部は炉（１００）の炉床（１０５）上に配置される、ステップと、  前記溶融合金をシェル型（３０）の中に注ぎ込むステップと、  炉床（１０５）から徐々に伝搬方向に冷却することによって、注ぎ込まれた金属を指向性凝固させるステップであって、冷却の伝搬方向と平行でない第２スパン（１６）の表面（１６Ｂ）は最初に蝋（１８）の溶着部によって覆われる、ステップとを備える方法であって、  芯部（１０）は、芯部の第１スパン（１４）とシェル型（３０）の壁との間に固着させる手段（４０）によってシェル型（３０）に固定され、芯部（１０）の第２スパン（１６）は、シェル型（３０）の壁の上を滑動する保持手段（１７）によってシェル型（３０）内に保持され、前記滑動保持手段（１７）は、シェル型（３０）を作り出す前に、冷却の伝搬方向と平行な第２スパン（１６）の表面（１６Ａ）に塗布されたワニスの層（１７）であり、芯部（１０）が拡張するとき、芯部（１０）の第２スパン（１６）がシェル型（３０）の壁と接触するのを防止するように、芯部（１０）の第２スパン（１６）とシェル型（３０）の壁との間に自由空間（１７、１８）が作り出されるように、前記ワニスの層（１７）、ならびに冷却の伝搬方向と平行でない第２スパン（１６）の表面（１６Ｂ）を覆う蝋（１８）は、シェル型（３０）の脱蝋作業中に除去されることを特徴とする、方法。
【請求項２】
固着手段（４０）が、第１スパン（１４）を通過し、型の壁内に埋め込まれる棒を備える、請求項１に記載の方法。
【請求項３】
棒がセラミック製である、請求項２に記載の方法。
【請求項４】
複数の部品を製造するのに、前記部品の模型がシェル型（３０）内側でクラスタ状にまとめられる、請求項１〜３のいずれか一項に記載の方法。
【請求項５】
柱状構造を備えた少なくとも１つの金属部品を製造するのに、シェル型（３０）と炉（１００）の炉床（１０５）との間に結晶状構造の核形成要素が設けられる、請求項１〜４のいずれか一項に記載の方法。
【請求項６】
単結晶状構造を備えた少なくとも１つの部品を製造するのに、核形成要素とシェル型（３０）との間に粒子選択器を備える、請求項５に記載の方法。
【請求項７】
部品がタービンエンジンブレードであり、第１スパンはブレードの羽根部の頂部の延長部内にあり、第２スパンはブレードの根元部の延長部内にある、請求項１〜６のいずれか一項に記載の方法。
【請求項８】
炉床が、金属が溶融される高温領域と金属凝固用の低温領域との間で垂直方向に移動することが可能であり、炉床自体が冷却される、請求項１〜７のいずれか一項に記載の方法。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
トモシンセシスＸ線撮像と一般的な投影放射線撮影Ｘ線撮像との双方の能力を有する放射線撮像システムであって、
複数の分配型Ｘ線源を備える単一のＸ線源アセンブリであって、前記複数の分配型Ｘ線源のうちの少なくとも１つは、標準的な投影放射線撮影に十分な光線を出力するように構成され、前記複数の分配型Ｘ線源のうちの少なくとも２つの各々は、トモシンセシスに十分なより低い放射線量で光線を出力するように構成される、単一のＸ線源アセンブリと、
Ｘ線発生器と、
各Ｘ線源を制御するための制御ユニットと、を備える、放射線撮像システム。
【請求項２】
各前記トモシンセシスのためのＸ線源は、トモシンセシスのための全ての前記源からの前記Ｘ線が、規定の距離にて、またはＸ線検出器にて重なり合うように焦点合わせが行われるように、そのそれぞれのコリメータに取り付けられ、前記一般的な放射線撮影のためのＸ線源は、異なる放射場サイズに関して少なくとも２次元で調節可能であるように構成されるコリメータに取り付けられる、請求項１に記載の放射線撮像システム。
【請求項３】
トモシンセシスＸ線撮像と投影Ｘ線撮像との双方の能力を有する放射線撮像システムであって、
単一のＸ線源と、
少なくとも２次元で調節可能であるように構成される第１のコリメータと、
提供される固定された視準に対して構成される第２のコリメータと、を含む、放射線撮像システム。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
（１）第１の表面を有し、紙を備える基体と、（２）前記基体の前記第１の表面の少なくとも一部上の分離層と、を備え、前記分離層が、約−３０℃〜約＋３０℃のＴｇを有する水分散性バインダーの層と、剥離剤と、を含み、前記水分散性バインダーの層が、該層に部分的に埋め込まれ該層から突出している粒子を含み、前記分離層のコーティングが、約１０〜約５０ミクロンの平均Ｈ、約５０〜約１００ミクロンの平均ＥＣＤ、及び約５０〜約１５０ミクロンの平均ＮＮＤを有する、物品。
【請求項２】
前記基体が第２の表面を有し、前記物品が、（３）前記第２の表面の少なくとも一部に接着剤を更に備える、請求項１に記載の物品。
【請求項３】
前記粒子が、約２０〜約４０ミクロンの平均粒径を有する、請求項１に記載の物品。
【請求項４】
（１）請求項１の物品であり、前記基体が水分散性材料を含む、物品を提供する工程と、前記物品の使用後に、（２）前記物品を水中に入れる工程と、（３）前記物品を水中に分散させる工程と、（４）前記基体の前記水分散性材料を回収する工程と、を含む、方法。
【請求項５】
（ｉ）前記基体が第２の表面を有し、前記物品が、前記第２の表面の少なくとも一部に、接着剤を更に有し、（ｉｉ）前記物品が、（Ａ）ロールの形に巻かれている前記物品を含むアセンブリの形態、又は（Ｂ）上側の物品の第２の表面が下側の物品の第１の表面と接触している同様の物品の積層体を構成している前記物品を含むアセンブリの形態であり、前記方法が、前記物品を水中に入れる工程の前に、前記アセンブリから前記物品を分離する工程を更に含む、請求項４に記載の方法。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
式（Ｉ）：
2016503777.tif 000001
（上式中、
ｍは、０又は１であり；
ｎは、０又は１であり；
Ｒ１は、
直鎖状又は分枝状Ｃ１−Ｃ５アルキル；
フッ素で置換されている直鎖状又は分枝状Ｃ１−Ｃ５アルキル；
Ｃ３−Ｃ６飽和もしくは不飽和のシクロアルキルで置換されている直鎖状又は分枝状Ｃ１−Ｃ３アルキル；
Ｃ３−Ｃ６飽和もしくは不飽和のシクロアルキル；
ＣＮ；
ＣＨ２ＣＮ；
ＣＨ２Ｎ３；
フェニル；
Ｃｌ又はＦで置換されているフェニル；
ベンジル；
Ｃｌ又はＦで置換されているベンジル；
−Ｏ−フェニル；及び
チオフェニル；
からなる群から選択され；
Ｒ２は、
フェニル；
任意選択的にＣｌ又はＦで置換されているベンジル；
ナフタレニル；
直鎖状又は分枝状Ｃ１−Ｃ４アルキルで置換されているフェニル；
フッ素で置換されている直鎖状又は分枝状Ｃ１−Ｃ４アルキルで置換されているフェニル；
ＯＣＨ３、ＯＣＦ３、Ｃｌ、Ｆ、ＣＨ３ＳＯ２及びＣＦ３から選択される１以上の置換基で置換されているフェニル；
Ｏ−ＣＨ２−Ｏ基で置換されている二つの連続炭素原子を有するフェニル；
シクロプロピル；
シクロブチル；
シクロペンチル；
シクロヘキシル；並びに
Ｓ、Ｎ及びＯから選択される１以上の複素原子を含む、五又は六員複素環
からなる群から選択される）
の化合物。
【請求項２】
ｍが１であり、かつｎが１である、請求項１に記載の化合物。
【請求項３】
Ｒ１が、−ＣＨ２ＣＦ３、−ＣＦ２ＣＦ３、−（ＣＨ２）２ＣＦ３、−ＣＨ２−イソプロピル、シクロプロピル、シクロブチル、シクロペンチル、シクロペンテニル、−ＣＨ２−シクロプロピル、−ＣＨ２−シクロブチル、−ＣＨ２−シクロペンチル、Ｃｌ又はＦによって置換されているフェニル、ベンジル、Ｃｌ又はＦによって置換されているベンジル、−Ｏ−フェニル及びチオフェニルから選択される、請求項１又は２に記載の化合物。
【請求項４】
Ｒ１が−ＣＨ２ＣＦ３又は−（ＣＨ２）２ＣＦ３である、請求項１から３の何れか一項に記載の化合物。
【請求項５】
Ｒ２が、フェニル、あるいはＯＣＨ３、ＯＣＦ３、Ｃｌ、Ｆ又はＣＦ３によりオルト位で置換されているフェニルである、請求項１から４の何れか一項に記載の化合物。
【請求項６】
Ｒ２が、Ｓ、Ｎ及びＯから選択される１以上の複素原子を含む五又は六員複素環であり、１の複素原子が、式（Ｉ）の環
2016503777.tif 000002
の窒素原子に対してα位の炭素原子に結合する複素環原子に隣接する、請求項１から４の何れか一項に記載の化合物。
【請求項７】
Ｒ２が、
2016503777.tif 000003
であり、矢印が、式（Ｉ）の環
2016503777.tif 000004
の窒素原子に対してα位の炭素原子との結合を示す、請求項１から４の何れか一項に記載の化合物。
【請求項８】
Ｒ２が、
2016503777.tif 000005
から選択され、結合が式（Ｉ）の環
2016503777.tif 000006
の窒素原子に対してα位の炭素原子との結合を示す、請求項１から４の何れか一項に記載の化合物。
【請求項９】
2016503777.tif 000007
2016503777.tif 000008
2016503777.tif 000009
からなる群から選択される、請求項１に記載の化合物。
【請求項１０】
医薬として使用するための、請求項１から９の何れか一項に記載の化合物。
【請求項１１】
細菌及びマイコバクテリア感染症の治療に使用するための、請求項１から９の何れか一項に記載の化合物。
【請求項１２】
結核、ハンセン病及び非定型マイコバクテリア感染症の治療に使用するための、請求項１から９の何れか一項に記載の化合物。
【請求項１３】
活性成分として請求項１から９の何れか一項に記載の化合物と薬学的に許容される賦形剤を含有する薬学的組成物。
【請求項１４】
細菌及び／又はマイコバクテリアに対して活性な抗生物質を更に含有する、請求項１３に記載の薬学的組成物。
【請求項１５】
ＥｔｈＡ酵素経路を介して活性化可能な抗生物質を更に含有する、請求項１３に記載の薬学的組成物。
【請求項１６】
エチオナミド、プロチオナミド、イソキシル及びチアセタゾンから選択される抗生物質を更に含む、請求項１３に記載の薬学的組成物。
【請求項１７】
結核、ハンセン病又は非定型マイコバクテリア感染症の治療のための医薬の製造のための、請求項１から９の何れか一項に記載の少なくとも一つの化合物と、エチオナミド、プロチオナミド、イソキシル及びチアセタゾンから選択される抗生物質との組み合わせ。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
式（Ｉ）：
2016503778.tif 000001
（上式中、
ｎは、０又は１であり；
Ｒ１は、任意選択的にフッ素で置換されている直鎖状又は分枝状Ｃ１−Ｃ５アルキル、飽和又は不飽和Ｃ３‐Ｃ６シクロアルキルで置換されている直鎖状又は分枝状Ｃ１‐Ｃ３アルキル、シクロプロピル、シクロブチル及びシクロペンチルからなる群から選択され、
Ｘは、Ｎ又はＣＨであり、
Ｒ２は、フェニル、ベンジル、直鎖状又は分枝状Ｃ１−Ｃ４アルキルによって置換されたフェニル、直鎖状又は分枝状Ｃ１−Ｃ４アルキルによって置換されたベンジル、フッ素によって置換されている直鎖状又は分枝状Ｃ１−Ｃ４アルキルによって置換されているフェニル、フッ素によって置換されている直鎖状又は分枝状Ｃ１−Ｃ４アルキルによって置換されているベンジル、Ｃｌ、Ｆ、ＣＦ３、ＯＣＨ３及びＯＨから選択される１以上の基で置換されているフェニル、並びに１個、２個又は３個の窒素原子を含む６員複素環からなる群から選択される）
の化合物。
【請求項２】
ｎが１である、請求項１に記載の化合物。
【請求項３】
Ｒ１が−ＣＨ２ＣＦ３である、請求項１又は２に記載の化合物。
【請求項４】
ＸがＣＨである、請求項１、２又は３に記載の化合物。
【請求項５】
Ｒ１が、−ＣＨ２−イソプロピル；シクロプロピル、シクロブチル、シクロペンチル、−ＣＨ２−シクロプロピル、−ＣＨ２−シクロブチル、及び−ＣＨ２−シクロペンチルから選択される、請求項１から４の何れか一項に記載の化合物。
【請求項６】
Ｒ２がフェニル又はベンジルである、請求項１から４の何れか一項に記載の化合物。
【請求項７】
Ｒ２が、Ｘとの結合に対してメタ位でＣｌ、Ｆ、ＣＦ３及びＯＣＨ３から選択される置換基で置換されているフェニルである、請求項１から４の何れか一項に記載の化合物。
【請求項８】
Ｒ２が、フッ素で置換されているフェニルである、請求項１から４の何れか一項に記載の化合物。
【請求項９】
Ｒ２が、Ｘとの結合に対してパラ位でフッ素で置換されているフェニルである、請求項１から４の何れか一項に記載の化合物。
【請求項１０】
Ｒ２が：
2016503778.tif 000002
から選択される、請求項１から４の何れか一項に記載の化合物。
【請求項１１】
2016503778.tif 000003
2016503778.tif 000004
2016503778.tif 000005
からなる群から選択される、請求項１に記載の化合物。
【請求項１２】
医薬として使用するための、請求項１から１１の何れか一項に記載の化合物。
【請求項１３】
細菌及びマイコバクテリア感染症の治療に使用するための、請求項１から１１の何れか一項に記載の化合物。
【請求項１４】
結核、ハンセン病及び非定型マイコバクテリア感染症の治療に使用するための、請求項１から１１の何れか一項に記載の化合物。
【請求項１５】
活性成分として請求項１から１１の何れか一項に記載の化合物と薬学的に許容される賦形剤を含有する、薬学的組成物。
【請求項１６】
細菌及び／又はマイコバクテリアに対して活性な抗生物質を更に含有する、請求項１５に記載の薬学的組成物。
【請求項１７】
ＥｔｈＡ経路を介して活性化可能な抗生物質を更に含有する、請求項１５に記載の薬学的組成物。
【請求項１８】
チオアミドファミリーから選択される抗生物質を更に含有する、請求項１５に記載の薬学的組成物。
【請求項１９】
エチオナミド又はプロチオナミドを更に含有する、請求項１５に記載の薬学的組成物。
【請求項２０】
結核、ハンセン病又は非定型マイコバクテリア感染症の治療のための医薬を製造するための、請求項１から１１の何れか一項に記載の化合物及びＥｔｈＡ経路を介して活性化可能な抗生物質の組み合わせ。
【誤訳訂正書】
【提出日】平成29年6月15日(2017.6.15)
【誤訳訂正１】
【訂正対象書類名】明細書
【訂正対象項目名】０１５３
【訂正方法】変更
【訂正の内容】
【０１５３】
API（2.0 g）を攪拌子を備えた丸底フラスコに入れた。固体が溶解するように、2-MeTHF（20.0 ml）を添加した。2.0 M水酸化カリウムMeOH溶液（3.0 ml）を2-MeTHF溶液に添加し、得られた混合物を約5分間撹拌した。この溶液をロータリーエバポレーターで蒸発乾固させた。その後、乾燥した物が溶解するように、MTBE（40 ml）を添加した。MTBEを添加することとロータリーエバポレーターで蒸発乾固することを３回繰り返し、MeOHの完全な除去を確実にした。泡状の残渣を丸底フラスコ内の2-MeTHF中（8 ml）に溶解し、溶液を加熱マントルを用いて50℃に加熱した。下記に記載するように、n-ヘプタン合計160 mlを5回に分けて添加した。
１．n-ヘプタン10 mlを最初の分として添加した。この時点で、カリウム塩の種結晶約5 mgを溶液に加えた。種結晶は未溶解のままだった。播種する前に沈殿が丸底フラスコの側面に生成し始めたことが観察された。
２．n-ヘプタン10 mlを追加して加えた。沈殿は急速に進行し、濃厚なスラリーとなった。
３．スラリーを撹拌することができるように、３回目のn-ヘプタン（20 ml）分を添加した。
４．４回目のn-ヘプタン（80 ml）分を添加し、20℃／時間の速度で室温まで冷却を開始した。
５．スラリーの温度が周囲温度に達したとき、５回目のn-ヘプタン（40 ml）分を添加し、室温で一晩撹拌した。
試料をスラリーから少量採取し、ろ過し、XRPDにより分析した。試料のXRPDは、結晶性が悪いことと、いくつかの無水物形態の存在の可能性を示した。カリウム塩の種結晶（100.7 mg、5重量％、実施例５と同一のXRPDパターン）を添加し、混合物を一晩撹拌した。
試料は、次の日、少量分取し、XRPDにより分析した。XRPDは、結晶性の改善を示さなかった。それは、水和物の形成は水和物形成のための水分の欠如によって阻害されていると仮定された。したがって、80μLの水（4.0重量％）をスラリーに添加し、混合物を一晩撹拌した。次の日、一部採取したXRPDは、標準試料と一致していた。反応物をろ過し、真空下で乾燥して、白色の固体としてカリウム塩（2.322 g、98.7％）を得た。
NMR: 1H-NMRスペクトルは、実施例５の生成物のものと同一であった。
XRPD: X線粉末回折パターンは実施例５の生成物のものと同一であった。
融点(DSCピーク): 291.3℃
2016503752.tif 000001
2016503752.tif 000002
［実施例１１］
【誤訳訂正２】
【訂正対象書類名】明細書
【訂正対象項目名】０１５４
【訂正方法】変更
【訂正の内容】
【０１５４】
塩の形成は、実施例10について記載された手順に従って設定した。API（2.0 g）を攪拌子を備えた丸底フラスコに入れた。固体を溶解するために、2-MeTHF（20.0 mL）を添加した。2.0 M水酸化カリウムMeOH溶液（3.0 ml）を添加し、得られた混合物を約5分間撹拌した。溶媒をロータリーエバポレーターで蒸発乾固させた。MTBE（40 ml）を添加し、ロータリーエバポレーターで蒸発乾固させた。MTBEを添加することとロータリーエバポレーターで蒸発乾固することを３回繰り返し、MeOHの完全な除去を確実にした。泡状の残渣を丸底フラスコ内の2-MeTHF中（8 ml）に溶解し、溶液を加熱マントルを用いて50℃に加熱した。下記に記載するように、n-ヘプタン合計160 mlを5回に分けて添加した。
１．n-ヘプタン5.0 mlを最初の分として添加した。この時点で、カリウム塩の結晶を播種した。種結晶は視覚的に溶解していた。沈殿は観察されなかった。
２．5分後、さらにn-ヘプタン5.0 mlを加えた。溶液は濁った。
３．沈殿が徐々に発生し始めた。合計40 mlが加えられるまで、n-ヘプタン5.0 mlずつを5分毎に添加した。
４．n-ヘプタン80 mlを20分かけて20 mlずつ添加した。スラリーを室温に冷却した。
５．スラリーを室温に冷却し、n-ヘプタン40 mlを添加した後、室温で一晩撹拌した。
試料を少量採取し、ろ過し、XRPDにより分析した。試料のXRPDは、標準試料と一致していた。反応物をろ過し、真空下で乾燥して、白色の固体としてカリウム塩（2.198 g、97.4％）を得た。
NMR: 1H-NMRスペクトルは、実施例５の生成物のものと同一であった。
XRPD: X線粉末回折パターンは実施例５の生成物のものと同一であった。
融点(DSCピーク): 291.4℃
2016503752.tif 000003
2016503752.tif 000004
［実施例１２］
【誤訳訂正３】
【訂正対象書類名】特許請求の範囲
【訂正対象項目名】全文
【訂正方法】変更
【訂正の内容】
【特許請求の範囲】
【請求項１】
塩が、カリウム塩およびメグルミン塩からなる群より選ばれる（S）-6-クロロ-7-（1,1-ジメチルエチル）-2-トリフルオロメチル-2H-1-ベンゾピラン-3-カルボン酸の塩の結晶であり、
カリウム塩が一水和物であり、
カリウム塩の結晶が、2-θにおける主要ピークが3.8、11.4、12.7、14.7、15.8、16.5、17.4、18.9、19.5および21.8（°）（ここで各ピークは+/- 0.2°の誤差範囲を有する）を含むＣｕＫα放射線を用いた照射により得られる粉末Ｘ線回折パターン（ＰＸＲＤ）により特性化され、
メグルミン塩の結晶が、2-θにおける主要ピークが4.6、8.9、10.1、13.8、16.0、16.7、17.3、18.0、19.5、22.4 および23.2（°）（ここで各ピークは+/- 0.2°の誤差範囲を有する）を含むＣｕＫα放射線を用いた照射により得られる粉末Ｘ線回折パターン（ＰＸＲＤ）により特性化される、結晶。
【請求項２】
薬学的に許容可能な担体と請求項１に記載された塩の結晶とを含む医薬組成物。
【請求項３】
方法が、請求項１に記載された塩の結晶と薬学的に許容される担体とを合わせる工程を含む、医薬組成物の製造方法。
【請求項４】
方法が、請求項１に記載された塩の結晶と少なくとも１つの担体を合わせ、次いでその合わせたものに破砕または粉砕、ふるい分け、調合、乾燥、または造粒を施すことを含む、請求項３に記載された医薬組成物の製造方法。
【請求項５】
方法が医薬組成物を固形剤に圧縮することをさらに含む、請求項３または請求項４に記載された方法。
【請求項６】
シクロオキシゲナーゼ‐２が媒介する疾患の患者を治療および／または予防するための薬剤の製造における、請求項２に記載の医薬組成物の使用。
【請求項７】
疾患が、炎症、疼痛、癌、発熱、骨関節症、リウマチ性関節炎、偏頭痛、神経変性疾患、心臓血管疾患、骨粗鬆症、喘息、狼瘡および乾癬、月経困難症、早産、緑内障、痛風および強直性脊椎炎、滑液嚢炎、熱傷、捻挫および挫傷からなる群から選ばれる１つ以上の疾患である、請求項６に記載の使用。
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2016503793.tif 000001
〔式中、
Ｒ１は（Ｃ１−Ｃ４アルキル）−Ｏ、スピロオキシラン、シアノ、＝Ｏ、ニトロ、（Ｃ１−Ｃ４アルキル）Ｃ（Ｏ）、およびＨＯ（Ｃ１−Ｃ４アルキル）Ｃ（Ｏ）から選択され；
Ｒ２は＝Ｏ、Ｈ、またはＯＲａであり、ここで、ＲａはＨ、場合により置換されていてよいＣ１−Ｃ４アルキル、または場合により置換されていてよいアリールから選択され（ただし、Ｒ２が＝Ｏであるとき、Ｒ８は存在しない。）；
Ｒ３はＨ、場合により置換されていてよいＣ１−Ｃ４アルキル、場合により置換されていてよいＣ２−Ｃ４アルケニル、場合により置換されていてよいＣ２−Ｃ４アルキニル、または場合により置換されていてよいアリールであり；
Ｒ４は独立してＨおよび非置換Ｃ１−Ｃ４アルキルから選択され；
Ｒ５は置換Ｃ１−Ｃ４アルキル、場合により置換されていてよいＣ２−Ｃ４アルケニル、または場合により置換されていてよいＣ２−Ｃ４アルキニルであり；
Ｒ６はＨ、場合により置換されていてよいＣ１−Ｃ４アルキルまたは場合により置換されていてよいＣ１−Ｃ４アルコキシであり；
Ｒ７はＨ、場合により置換されていてよいＣ１−Ｃ４アルコキシ、または場合により置換されていてよいモルホリニル環であり；
Ｒ８は、存在するとき、Ｈまたは場合により置換されていてよいＣ１−Ｃ４アルキルであり；
−−−はＣ４−Ｃ５またはＣ５−Ｃ６の間にＣ＝Ｃ結合を生じる任意の付加的Ｃ−Ｃ結合であり（ただし、存在するとき、Ｃ５−Ｈの水素原子は存在しない。）；そして
−−−はＣ１６−Ｃ１７の間にＣ＝Ｃ結合を生じる任意の付加的Ｃ−Ｃ結合である（ただし、存在するとき、Ｒ１は＝Ｏ以外である。）。〕
の化合物またはその薬学的に許容される塩。
【請求項２】
Ｒ３基がＨ、メチル、およびトリフルオロメチルからなる群から選択される、請求項１に記載の化合物またはその薬学的に許容される塩。
【請求項３】
Ｒ７がＨである、請求項１または２に記載の化合物またはその薬学的に許容される塩。
【請求項４】
Ｒ５が置換メチルである、請求項１〜３のいずれか１項に記載の化合物またはその薬学的に許容される塩。
【請求項５】
Ｃ５−Ｈの水素原子がα配位である、請求項１〜４のいずれか１項に記載の化合物またはその薬学的に許容される塩。
【請求項６】
Ｃ５−Ｈの水素原子がβ配位であり、Ｒ５基がβ配位である、請求項１〜４のいずれか１項に記載の化合物またはその薬学的に許容される塩。
【請求項７】
Ｒ６がＨである、請求項１〜６のいずれか１項に記載の化合物またはその薬学的に許容される塩。
【請求項８】
Ｒ２が＝Ｏ、メトキシ、またはＨである、請求項１〜７のいずれか１項に記載の化合物またはその薬学的に許容される塩。
【請求項９】
Ｒ４がメチルである、請求項１〜８のいずれか１項に記載の化合物またはその薬学的に許容される塩。
【請求項１０】
構造
【化２】
2016503793.tif 000002
〔式中、Ｒｂは場合により置換されていてよいＣ１−Ｃ４アルキルである。〕
を有する、請求項１〜９のいずれか１項に記載の化合物またはその薬学的に許容される塩。
【請求項１１】
Ｒｂがメチルである、請求項１０に記載の化合物またはその薬学的に許容される塩。
【請求項１２】
Ｒ１がβ−メトキシである、請求項１０または１１に記載の化合物またはその薬学的に許容される塩。
【請求項１３】
Ｒ１がβ−シアノである、請求項１０または１１に記載の化合物またはその薬学的に許容される塩。
【請求項１４】
Ｒ１が＝Ｏである、請求項１０または１１に記載の化合物またはその薬学的に許容される塩。
【請求項１５】
Ｒ１がβ−ＣＨ３Ｃ（Ｏ）−である、請求項１０または１１に記載の化合物またはその薬学的に許容される塩。
【請求項１６】
Ｒ１がβ−ＨＯＣＨ２Ｃ（Ｏ）−である、請求項１０または１１に記載の化合物またはその薬学的に許容される塩。
【請求項１７】
【化３】
2016503793.tif 000003
〔式中、Ｒｂは場合により置換されていてよいＣ１−Ｃ４アルキルである。〕
からなる群から選択される、請求項１に記載の化合物またはその薬学的に許容される塩。
【請求項１８】
Ｒｂがメチルである、請求項１７に記載の化合物またはその薬学的に許容される塩。
【請求項１９】
対象に麻酔を導入するための、請求項１〜１８のいずれか１項に記載の化合物またはその薬学的に許容される塩を含む医薬組成物。
【請求項２０】
対象におけるＧＡＢＡ機能と関係する障害を治療するための、請求項１〜１８のいずれか１項に記載の化合物またはその薬学的に許容される塩を含む医薬組成物。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
血管透過性亢進の阻害が必要である動物における血管透過性亢進を阻害するための医薬組成物であって、前記医薬組成物は、血管透過性亢進阻害量のダナゾール化合物を含み、前記血管透過性亢進阻害量は、前記動物の体脂肪量に基づいて決定されるものである、医薬組成物。
【請求項２】
前記動物の体脂肪量は前記動物の肥満度指数（ＢＭＩ）の計算に基づいて決定されるものである、請求項１に記載の医薬組成物。
【請求項３】
前記ダナゾール化合物は経口で投与されるものである、請求項１に記載の医薬組成物。
【請求項４】
前記ダナゾール化合物は、０．５ｍｇ／ＢＭＩ単位／日〜１．０ｍｇ／ＢＭＩ単位／日の量で投与されるものである、請求項２に記載の医薬組成物。
【請求項５】
前記ダナゾール化合物は、１日２回投与されるものである、請求項１に記載の医薬組成物。
【請求項６】
前記ダナゾール化合物の量は、前記動物のＢＭＩが２６未満である場合、２ｍｇ／日〜１５ｍｇ／日である、請求項２に記載の医薬組成物。
【請求項７】
前記ダナゾール化合物の量は、前記動物のＢＭＩが２６〜３５である場合、２ｍｇ／日〜１５ｍｇ／日である、請求項２に記載の医薬組成物。
【請求項８】
前記ダナゾール化合物の量は、前記動物のＢＭＩが３５を超える場合、５ｍｇ／日〜４５ｍｇ／日である、請求項２に記載の医薬組成物。
【請求項９】
前記ダナゾール化合物を必要とする動物は、糖尿病、アテローム性動脈硬化及び高血圧から選択される疾患又は状態を有する、請求項１に記載の医薬組成物。
【請求項１０】
前記ダナゾール化合物を必要とする動物は、浮腫、低密度リポタンパク質の内皮下空間内蓄積、加速性アテローム性動脈硬化症、脳血管壁の促進老化、心筋浮腫、心筋線維症、拡張機能障害、糖尿病性心筋症、糖尿病母体の胎児の肺発育遅延、１つ又は複数の肺生理学的パラメータの変化、易感染性亢進、腸間膜の血管過生、糖尿病性神経障害、糖尿病性黄斑浮腫、糖尿病性腎症、糖尿病性網膜症、並びに皮膚の紅化、変色、乾燥、及び潰瘍からなる群より選択される糖尿病の血管合併症に罹患している、請求項１に記載の医薬組成物。
【請求項１１】
前記血管透過性亢進は、腎臓、膵臓、副腎、内分泌腺、又は腸に、或いはそれらの付近に見出される有窓内皮の血管透過性亢進である，請求項１に記載の医薬組成物。
【請求項１２】
前記ダナゾール化合物はダナゾールである、請求項１に記載の医薬組成物。
【請求項１３】
前記動物はヒトである、請求項１に記載の医薬組成物。
【請求項１４】
血管透過性亢進の阻害が必要である動物における血管透過性亢進を阻害するための医薬組成物であって、前記医薬組成物は、血管透過性亢進阻害量のダナゾール化合物を含み、前記血管透過性亢進阻害量は前記動物の体脂肪量に対応するものである医薬組成物。
【請求項１５】
動物の内皮細胞の細胞骨格を調節するための医薬組成物であって、前記医薬組成物は、血管透過性亢進阻害量のダナゾール化合物を含み、前記血管透過性亢進阻害量は前記動物の体重に基づいて決定されるものである、医薬組成物。
【手続補正２】
【補正対象書類名】明細書
【補正対象項目名】発明の名称
【補正方法】変更
【補正の内容】
【発明の名称】疾患の治療のための医薬組成物